【手続補正書】
【提出日】平成18年5月11日(2006.5.11)
【手続補正１】
【補正対象書類名】明細書
【補正対象項目名】全文
【補正方法】変更
【補正の内容】
【書類名】明細書
【発明の名称】  電子装置
【特許請求の範囲】
【請求項１】  ディスプレイとタッチパネルを有する表示手段と、
前記表示手段を設けた本体部と、
前記本体部に対して前記表示手段を傾斜させる傾斜手段と、
前記表示手段の傾斜動作を前記タッチパネルによって指示するためのアイコンを前記表示手段に表示し、前記タッチパネルによってアイコンが指示された場合に、前記傾斜手段によって前記表示手段が前記本体部に対して傾斜するように制御する制御手段と、を備えることを特徴とする電子装置。
【請求項２】  前記制御手段は、前記タッチパネルによってアイコンが指示された場合に、前記傾斜手段によって前記表示手段が前記本体部に対してオープン状態またはクローズ状態になるように制御することを特徴とする請求項１に記載の電子装置。
【請求項３】  前記制御手段は、前記タッチパネルによってアイコンが指示された場合に、前記傾斜手段によって前記表示手段が前記本体部に対してオープン状態への方向とクローズ状態への方向に傾斜するように制御することを特徴とする請求項１に記載の電子装置。
【請求項４】  前記制御手段は、前記タッチパネルによってアイコンが指示された場合に、アイコンの指示に応じた制御量に基づき、前記傾斜手段によって前記表示手段が前記本体部に対して傾斜するように制御することを特徴とする請求項３に記載の電子装置。
【請求項５】  前記本体部から記録媒体を排出する排出手段を有し、
前記制御手段は、前記タッチパネルによってアイコンが指示された場合に、前記傾斜手段によって前記表示手段を前記本体部に対してオープン状態にするとともに、前記排出手段によって前記本体部から記録媒体を排出するように制御することを特徴とする請求項１に記載の電子装置。
【請求項６】  前記制御手段は、前記表示手段の傾斜動作を前記タッチパネルによって指示するためのアイコンを前記表示手段に表示するとともに、前記傾斜手段によって前記表示手段が前記本体部に対してオープン状態またはクローズ状態になるように指示するためのアイコンを前記表示手段に表示することを特徴とする請求項１に記載の電子装置。
【請求項７】  前記本体部から記録媒体を排出する排出手段を有し、
前記制御手段は、前記表示手段の傾斜動作を前記タッチパネルによって指示するためのアイコンを前記表示手段に表示するとともに、前記排出手段によって前記本体部から記録媒体を排出するように指示するためのアイコンを前記表示手段に表示することを特徴とする請求項１に記載の電子装置。
【発明の詳細な説明】
【０００１】
【発明の属する技術分野】
この発明は、タッチパネルディスプレイを備えた電子装置に関し、特に車載オーディオなどの小型の電子装置において操作性を向上した電子装置に関する。
【０００２】
【従来の技術】
従来から、液晶ディスプレイなどの表示デバイス上にタッチパネルを配置したタッチパネルディスプレイが利用されてきた。このタッチパネルディスプレイは、表示と操作を同一面上で行うことができるため、電子装置の小型化に非常に有効であり、車載機器や携帯情報端末に広く利用されてきた。
【０００３】
たとえば、特許文献１に示された再生装置および再生方法では、挿入したメディアに記録された内容に基づいて、液晶ディスプレイ上に仮想的な操作ボタン（アイコン）を表示し、タッチパネルに指などが触れた場合にその位置に対応するアイコンに設定した動作、例えばメディアが音楽を記録したコンパクトディスク（ＣＤ）である場合には再生、停止、頭出しの各動作を行うようにしている。
【０００４】
また、特許文献２に示された車載機器の操作用表示装置では、車載機器の操作性を向上すべく、タッチパネル上における指のタッチ態様を判別し、複数の操作を選択して同時に実行することとしている。
【０００５】
一方で、装置の小型化が進むと、挿入したメディアなどの状態をいかに簡易に確認できるようにするかという点も重要な課題となる。そのため、特許文献３に示されたディスクチェンジャー装置では、特に車載装置におけるメディア状態の確認を容易にすべく、メディアの挿入口の中央上部にインジケータランプを配置して見やすくするとともに、メディア挿入可能状態になった場合には、インジケータランプを赤色点滅から緑色連続点灯に変化させることとしている。
【０００６】
【特許文献１】特開平１０−９２０８６号公報
【特許文献２】特開平９−３３２７８号公報
【特許文献２】特開２００１−３０７４６７号公報
【０００７】
【発明が解決しようとする課題】
しかしながら、近年の電子装置はさらに小型化・多機能化が進んでおり、操作系を如何に効率化できるかが益々重要な課題となっている。加えて、装置全体が小型化の傾向にあるのに対し、ディスプレイは視認性の向上の為に大型化が求められているので、操作用のスイッチを設ける場所が限定されていた。
【０００８】
そのため、スイッチ自体の数も制限されることなり、多様化した各種機能を利用するためにはスイッチを組み合わせて使用したり、スイッチの押し方によって異なる制御を実行する必要があった。
【０００９】
すなわち、従来の電子装置では、スイッチ操作が煩雑で、操作性が低いという問題点があった。特に車載装置の操作は運転中に操作されることが多く、車両の安全な走行の為にもその操作は簡略で、分かりやすく、操作時間が短いことが極めて重要である。
【００１０】
この発明は、上述した従来技術による問題点を解消し、課題を解決するためになされたものであり、タッチパネルディスプレイを備えた電子装置において操作性を向上することを目的とする。
【００１１】
【課題を解決するための手段】
上述した課題を解決し、目的を達成するため、請求項１の発明に係る電子装置は、ディスプレイとタッチパネルを有する表示手段と、前記表示手段を設けた本体部と、前記本体部に対して前記表示手段を傾斜させる傾斜手段と、前記表示手段の傾斜動作を前記タッチパネルによって指示するためのアイコンを前記表示手段に表示し、前記タッチパネルによってアイコンが指示された場合に、前記傾斜手段によって前記表示手段が前記本体部に対して傾斜するように制御する制御手段と、を備えることを特徴とする。
【００１２】
この請求項１の発明によれば、電子装置は、ディスプレイとタッチパネルを有する表示手段を本体部に対して傾斜させる傾斜動作を、タッチパネル上に表示したアイコンの指示によって実行することができる。
【００１３】
また、請求項２の発明に係る電子装置は、請求項１に記載の発明において、前記制御手段は、前記タッチパネルによってアイコンが指示された場合に、前記傾斜手段によって前記表示手段が前記本体部に対してオープン状態またはクローズ状態になるように制御することを特徴とする。
【００１４】
この請求項２の発明によれば電子装置は、タッチパネル上に表示したアイコンが指示された場合に、表示手段を前記本体部に対してオープン状態またはクローズ状態になるように制御する。
【００１５】
また、請求項３の発明に係る電子装置は、請求項１に記載の発明において、前記タッチパネルによってアイコンが指示された場合に、前記傾斜手段によって前記表示手段が前記本体部に対してオープン状態への方向とクローズ状態への方向に傾斜するように制御することを特徴とする。
【００１６】
この請求項３の発明によれば電子装置は、タッチパネル上に表示したアイコンが指示された場合に、表示手段を前記本体部に対してオープン状態の方向とクローズ状態の方向へ傾斜するように制御する。
【００１７】
また、請求項４の発明に係る電子装置は、請求項３に記載の発明において、前記制御手段は、前記タッチパネルによってアイコンが指示された場合に、アイコンの指示に応じた制御量に基づき、前記傾斜手段によって前記表示手段が前記本体部に対して傾斜するように制御することを特徴とする。
【００１８】
この請求項４の発明によれば電子装置は、タッチパネル上に表示したアイコンが指示された場合に、その指示に応じた制御量に基づき、表示手段の傾斜を制御する。
【００１９】
また、請求項５の発明に係る電子装置は、請求項１に記載の発明において、前記本体部から記録媒体を排出する排出手段を有し、前記制御手段は、前記タッチパネルによってアイコンが指示された場合に、前記傾斜手段によって前記表示手段を前記本体部に対してオープン状態にするとともに、前記排出手段によって前記本体部から記録媒体を排出するように制御することを特徴とする。
【００２０】
この請求項５の発明によれば電子装置は、タッチパネル上に表示したアイコンが指示された場合に、表示手段を傾斜させてオープン状態にしたうえで記録媒体を排出する。
【００２１】
また、請求項６の発明に係る電子装置は、請求項１に記載の発明において、前記制御手段は、前記表示手段の傾斜動作を前記タッチパネルによって指示するためのアイコンを前記表示手段に表示するとともに、前記傾斜手段によって前記表示手段が前記本体部に対してオープン状態またはクローズ状態になるように指示するためのアイコンを前記表示手段に表示することを特徴とする。
【００２２】
この請求項６の発明によれば電子装置は、表示手段の傾斜動作を指示するためのアイコンと、表示手段がオープン状態またはクローズ状態になるように指示するためのアイコンを表示手段に表示する。
【００２３】
また、請求項７の発明に係る電子装置は、請求項１に記載の電子制御装置において、前記本体部から記録媒体を排出する排出手段を有し、前記制御手段は、前記表示手段の傾斜動作を前記タッチパネルによって指示するためのアイコンを前記表示手段に表示するとともに、前記排出手段によって前記本体部から記録媒体を排出するように指示するためのアイコンを前記表示手段に表示することを特徴とする。
【００２４】
この請求項７の発明によれば電子装置は、表示手段の傾斜動作を指示するためのアイコンと、記録媒体の排出を指示するためのアイコンを表示手段に表示する。
【００２５】
【発明の実施の形態】
以下に添付図面を参照し、この発明に係る電子装置の好適な実施の形態である車載オーディオ装置について説明する。
【００２６】
まず、本実施の形態に係る車載オーディオ装置の概要構成について説明する。図１は、本実施の形態に係る車載オーディオ装置の概要構成を示す概要構成図であり、図２は、車載オーディオ装置の概観図である。
【００２７】
図１に示すように、車載オーディオ装置１は、パネルディスプレイ１０、メインユニット２０、ＣＤドライブ３０、ＤＶＤ（Digital Versatile Disk）ドライブ４０を有する。この車載オーディオ装置１は、ＣＤドライブ３０に挿入したＣＤメディアやＤＶＤドライブ４０に挿入したＤＶＤメディアから音楽情報を読み出して演奏する。
【００２８】
パネルディスプレイ１０は、スイッチ１１、タッチパネル１２、液晶ディスプレイ１３、チルト機構１４およびオープンスイッチ１５を有し、チルト機構１４によって回動する。また、メインユニット２０は、入力処理部２１、表示処理部２２、主制御部２４、機構制御部２５、およびドライブ管理部２６を有する。
【００２９】
入力処理部２１は、スイッチ１１およびタッチパネルからの入力を受け付け、主制御部２４に送信する。また、表示処理部２２は、主制御部２４によって指示された画像を液晶ディスプレイ１３に表示させる。さらに、ドライブ管理部２６は、ＣＤドライブ３０およびＤＶＤドライブ４０の情報を取得して主制御部２４に送信し、機構制御部２５は、主制御部２４からの制御を受けてＣＤドライブ３０、ＤＶＤドライブ４０およびチルト機構１４における物理的な動作を制御する。ここで、チルト機構１４における物理的な動作とは、パネルディスプレイ１０の回動であり、ＣＤドライブ３０およびＤＶＤドライブ４０における物理的な動作とは、それぞれのメディアの排出（イジェクト）動作である。
【００３０】
主制御部２４は、車載オーディオ装置１を全体制御する制御部であり、スイッチ１１やタッチパネル１２からの入力、およびＣＤドライブ３０，ＤＶＤドライブ４０の状態をもとに制御内容、表示内容を決定する。
【００３１】
つぎに、図２を参照し、車載オーディオ装置１の概観およびパネルディスプレイ１０の回動について説明する。図２（ａ）では、車載オーディオ装置１は、メインユニット２０の前面にパネルディスプレイ１０が配置されている。パネルディスプレイ１０は、その中央部に液晶ディスプレイ１３およびタッチパネル１２が重ねて配置されるとともに、周辺に複数のスイッチ１１とオープンスイッチ１５とが配置されている。
【００３２】
このパネルディスプレイ１０は、図示しないチルト機構１４によって回動し、図２（ｂ）に示すようにその位置を変更することができる。図２（ｂ）に示した状態では、ＣＤドライブ３０およびＤＶＤドライブ４０が露出し、メディアの出し入れが可能となる。すなわち、ユーザは、ＣＤメディアやＤＶＤメディアの挿入や排出を図２（ｂ）に示す状態で行い、メディアの出し入れが不要である場合には、図２（ａ）の状態で使用することで装置全体の占めるスペースを軽減している。ここで、図２（ａ）に示した状態をパネルクローズ状態、図２（ｂ）に示した状態をパネルオープン状態という。
【００３３】
従来の車載オーディオ装置では、このパネルディスプレイ１０の回動や、ＣＤメディアおよびＤＶＤメディアの排出のような物理的な動作をスイッチ１１の操作によって実現していた。しかし、図２に示すように、液晶ディスプレイ１３を大きくするために、スイッチ１１の数が限定されるので、所望の動作を行わせるためには複数のスイッチを組み合わせて使用したり、押し方を変化させる必要があった。
【００３４】
本実施の形態にかかる車載オーディオ装置１は、物理的な動作を含む各種動作を液晶ディスプレイ１３に表示したアイコンを指定することで実行可能としている。具体的には、スイッチ１１の中から所定のスイッチ（メニューボタン）が指定された場合に、主制御部２４内部のアイコン設定部２４ａは、パネルディスプレイ１０、ＣＤドライブ３０およびＤＶＤドライブ４０の状態を取得し、取得した状態をもとに液晶ディスプレイ１３にアイコンを表示させる。そして、表示したアイコンに対する指定をタッチパネル１２によって検知したならば、主制御部指定されたアイコンに対応する動作を実行する。
【００３５】
図３を参照して車載オーディオ装置１における処理動作をさらに説明する。図３は、車載オーディオ装置１における処理動作を説明するフローチャートである。同図に示すように、まず、スイッチ１１の一つであるメニューボタンが押下されたならば（ステップＳ１０１）、ドライブ管理部２６がＣＤドライブ３０およびＤＶＤドライブ４０の状態を取得するとともに、主制御部２４がパネルディスプレイ１０の状態を取得する（ステップＳ１０２）。
【００３６】
つづいてアイコン設定部２４ａは、ステップＳ１０２において取得したドライブの状態およびパネルディスプレイの状態をもとに、表示するアイコンを設定し（ステップＳ１０３）、液晶ディスプレイ１３にアイコンを表示する。
【００３７】
その後、タッチパネル１２の操作を受け付け（ステップＳ１０４）、タッチパネル上で指定されたアイコンに対応する制御動作を実行し（ステップＳ１０５）、処理を終了する。
【００３８】
つぎに、液晶ディスプレイ１３における表示画面の具体例を説明する。図４は、液晶ディスプレイの表示例を説明する説明図である。同図に示すように、液晶ディスプレイ１３は、アイコン５１〜５５が表示されている。アイコン５１は、ＣＤメディアの排出に対応するアイコンであり、アイコン５２は、ＤＶＤメディアの排出に対応するアイコンである。また、アイコン５３は、パネルディスプレイ１０を回動させてパネルオープン状態とするアイコンであり、アイコン５４は、パネルディスプレイ１０を回動させてパネルクローズ状態とするアイコンである。
【００３９】
さらにアイコン５５は、パネルディスプレイ１０の傾きをパネルオープン状態とパネルクローズ状態との間の任意の角度に調整するためのアイコンである。アイコン５１〜５４は、そのアイコンに対する接触を検知して制御動作を実行するが、アイコン５５は、制御の実行に加えて傾斜量の指定を受け付ける。すなわち、アイコン５５は、アナログ入力を受け付ける仮想的な入力手段として機能する。
【００４０】
ところで、アイコン５１は、ＣＤドライブ３０の状態を示す表示となっており、アイコン５２は、ＤＶＤドライブ４０の状態を示す表示となっている。具体的には、アイコン５１は、ＣＤを演奏中であることを表示し、アイコン５２は、ＤＶＤドライブにメディアが挿入されていないことを表示されている。このように、アイコンの画像をドライブの状態に対応させることで、パネルクローズ状態であってもメディアが挿入されているかどうかや、メディアの読み取り状態を確認することができる。
【００４１】
さらに、図４では、アイコン５１，５３，５５は、アイコン５２，５４に比して明るく表示している。これは現在の状態で実行可能な処理に対応するアイコンを強調する効果がある。すなわち、図４に示した状態では、ＤＶＤメディアは挿入されていないので、ＤＶＤメディアの排出に対応するアイコン５２は暗く表示している。同様に、図４はパネルクローズ状態であるので、パネルクローズに対応するアイコン５４も暗く表示している。
【００４２】
なお、実行する必要のないアイコンは、このように暗く表示するのではなく、表示自体を行わずに実行可能なアイコンのみを選択的に表示することとしても良いことはいうまでも無い。
【００４３】
表示するアイコンの設定処理（図３におけるステップＳ１０３）について、さらに説明する。図５は、アイコンの表示内容を選択する処理動作を説明するフローチャートである。同図に示すようにアイコン設定部２４ａは、まずＣＤドライブ３０の状態を確認する（ステップＳ２０１）。
【００４４】
ＣＤドライブ３０にメディアが挿入（セット）されているならば（ステップＳ２０２，Ｙｅｓ）、アイコン設定部２４ａは、メディアが読み取り中であるか否かを判定し（ステップＳ２０３）、メディアが読み取り中であれば（ステップＳ２０３，Ｙｅｓ）、メディア使用中を示すアイコンを選択する（ステップＳ２０５）。一方、メディアが読み取り中でなければ（ステップＳ２０３，Ｎｏ）、アイコン設定部２４ａは、メディア有りを示すアイコンを選択する（ステップＳ２０４）。また、ＣＤドライブ３０にメディアが挿入（セット）されていなければ（ステップＳ２０２，Ｎｏ）、アイコン設定部２４ａは、メディアが無いことを示すアイコンを選択する（ステップＳ２０６）。
【００４５】
つづいてアイコン設定部２４ｓは、ＤＶＤドライブ３０の状態を確認する（ステップＳ２０７）。ＤＶＤドライブ４０にメディアが挿入（セット）されているならば（ステップＳ２０８，Ｙｅｓ）、アイコン設定部２４ａは、メディアが読み取り中であるか否かを判定し（ステップＳ２０９）、メディアが読み取り中であれば（ステップＳ２０９，Ｙｅｓ）、メディア使用中を示すアイコンを選択する（ステップＳ２１１）。一方、メディアが読み取り中でなければ（ステップＳ２０９，Ｎｏ）、アイコン設定部２４ａは、メディア有りを示すアイコンを選択する（ステップＳ２１０）。また、ＤＶＤドライブ３０にメディアが挿入（セット）されていなければ（ステップＳ２０８，Ｎｏ）、アイコン設定部２４ａは、メディアが無いことを示すアイコンを選択する（ステップＳ２１２）。
【００４６】
その後、アイコン設定部２４ａは、パネルディスプレイ１０のチルト状態（傾斜状態）を示すアイコンを選択し（ステップＳ２１３）、選択したそれぞれのアイコンの配置を決定して（ステップＳ２１４）、処理を終了する。
【００４７】
このように、現在のドライブやパネルディスプレイの状態を取得して、実行することのできる物理的な処理動作をアイコンとして表示することで、物理的な動作をもアイコンによって操作することができ、操作を簡略化するとともに、少ない操作数で実行することができる。
【００４８】
たとえば従来の車載オーディオ装置では、メディアの交換を行う際にオーディオの操作画面を出してドライブの動作状態を確認し、パネルディスプレイをオープン状態にし、メディアの取り出しボタンを押す必要があった。一方、本実施の形態における車載オーディオ装置１では、メニューボタンを押すことでドライブの動作状態を確認するとともにアイコンを表示し、アイコンの選択によってメディアの排出をおこなうことができる。
【００４９】
また、従来の車載オーディオ装置では、所定のボタンを押す時間の長さによって、タッチパネルをオープン状態とするか、クローズ状態とするか、傾きを設定するかを区別していたが、本実施の形態における車載オーディオ装置１ではそれぞれに専用のアイコンを作成することで、操作を簡易におこなうことができる。
【００５０】
このように、物理的な機能をもアイコンによって制御可能とすることで、操作性の低下を招くことなく物理的なスイッチの数を減少させ、操作用に割り当てるスペースを削減することができ、ディスプレイの面積を大きくして視認性を向上することができる。
【００５１】
なお、タッチパネルやメインユニット２０に障害が発生した場合であってもメディアを排出可能とするため、車載オーディオ装置１は、パネルオープンの為のオープンスイッチ１５を有する。しかし、通常の操作はアイコンによって行うのでオープンスイッチ１５は緊急用に特化することができ、小さなスイッチによって実現することができる。
【００５２】
ところで、パネルディスプレイの傾斜を変更する操作をアイコンによって実現する場合、タッチパネルに指などが接触した時点で動作を開始すると、パネルディスプレイの回動によってタッチパネル上における指の位置が変わり、誤動作の原因となる。
【００５３】
そこで、タッチパネルの操作時には、指などがタッチパネルから離れた後に動作を開始することが望ましい。この車載オーディオ装置１では、まず指の接触によるタッチパネル上の位置指定を検知した後、指が離れたことによる位置指定の解除を検知し、位置指定の解除から所定時間経過後に動作を開始することとしている。
【００５４】
図６は、タッチパネル操作時（図３におけるステップＳ１０４）の処理動作を説明するフローチャートである。同図に示すように、タッチパネル１２に指などが接触したならば、まず入力処理部２１がその位置情報を取得し（ステップＳ３０１）、主制御部２４は位置情報をもとに指定されたアイコンを検出する（ステップＳ３０２）。
【００５５】
その後、主制御部２４は、位置指定の解除を待機する（ステップＳ３０３）。タッチパネル１２から指が離れ、位置指定が解除されたならば（ステップＳ３０３，Ｙｅｓ）、主制御部２４は、指定されたアイコンがアナログアイコンであるか否かを判定する（ステップＳ３０４）。
【００５６】
指定されたアイコンがパネルの傾斜などのアナログ量を指定するアイコンである場合（ステップＳ３０４，Ｙｅｓ）、主制御部２４は、位置情報をもとに制御量を算出する。たとえば、指定されたアイコンがパネルディスプレイ１０の傾斜を指定するアイコン５５であれば、位置情報からパネルディスプレイ１０の傾斜量を算出する。
【００５７】
制御量の算出（ステップＳ３０６）終了後、もしくは指定されたアイコンがアナログアイコンではなかった場合（ステップＳ３０４，Ｎｏ）、主制御部２４は、所定時間待機した（ステップＳ３０５）後、制御動作の実行に移る。
【００５８】
このように、タッチパネル１２から指が離れたことを確認し、さらに所定時間経過した後に制御動作を実行することで、アイコンの指定を正確に検出し、誤動作を防止することができる。
【００５９】
上述してきたように、本実施の形態では、パネルディスプレイ１０、ＣＤドライブ３０およびＤＶＤドライブ４０の状態を取得し、実行することのできる物理的な処理動作をアイコンとして表示し、このアイコンの指定によって物理的な動作を実行することができるので、操作を簡略化するとともに、少ない操作数で実行することができる。
【００６０】
したがって、操作性の低下を招くことなく物理的なスイッチの数を減少させ、ディスプレイの面積を大きく取ることができ、視認性が向上するという効果が得られる。さらに、アイコンを指定する際に、タッチパネル１２から指が離れてから所定時間経過後に制御動作を実行するので、例えばパネルディスプレイの回動を伴う操作であっても、誤動作を防止することができる。
【００６１】
なお、この実施の形態では、車載オーディオ装置を例として説明したが、本発明の利用はこれに限定されるものではなく、タッチパネルディスプレイを有し、かつ物理的な処理動作を実行可能な電子装置であれば任意の装置に適用することができる。
【００６２】
たとえば、車載オーディオ装置にナビゲーション機能や動画再生機能をさらに付加した電子機器であっても良い。この場合、ＤＶＤドライブはＤＶＤメディアから音楽情報を読み出すのみ留まらず、動画や地図情報を読み出して再生・表示するよう構成すればよい。特に動画再生や地図情報の表示にはディスプレイを大きくすることが望まれるので、本発明の適用による効果がより顕著に得られるものである。
【００６３】
【発明の効果】
以上説明したように、本発明によれば、タッチパネルディスプレイのチルト動作をタッチパネルによって指示するためのアイコンをタッチパネルディスプレイに表示し、タッチパネルによってアイコンが指示された場合に、タッチパネルディスプレイがメインユニットに対してチルトするので、物理的な動作をもアイコンによって操作することができ、操作が簡易になるとともに操作を分かり易くすることができる。また、タッチパネルによるアイコンの指示によって、タッチパネルディスプレイをチルト動作させるので、物理的なスイッチの数を減少させ小型化することができ、またディスプレイの面積を大きくして視認性を向上することができる。
【図面の簡単な説明】
【図１】
本実施の形態に係る車載オーディオ装置の概要構成を示す概要構成図である。
【図２】
図１に示した車載オーディオ装置の概観図である。
【図３】
図１に示した車載オーディオ装置の処理動作を説明するフローチャートである。
【図４】
図１に示した液晶ディスプレイの表示例を説明する説明図である。
【図５】
アイコンの表示内容を選択する処理動作を説明するフローチャートである。
【図６】
タッチパネル操作時の処理動作を説明するフローチャートである。
【符号の説明】
１    車載オーディオ装置
１０    パネルディスプレイ
１１    スイッチ
１２    タッチパネル
１３    液晶ディスプレイ
１４    チルト機構
１５    オープンスイッチ
２０    メインユニット
２１    入力所処理部
２２    表示処理部
２４    主制御部
２４ａ  アイコン設定部
２５    機構制御部
２６    ドライブ管理部
３０    ＣＤドライブ
４０    ＤＶＤドライブ
５１〜５５  アイコン